(57)【要約】【課題】ノイズフィルタ回路の温度上昇によるＹコン容量減少時の特性悪化を防止すること。【解決手段】ノイズフィルタ回路２の雰囲気温度を測定する温度センサ２１を設け、予め設定された温度を上回った場合には制御部にてＹコン１０〜１３の容量減少を判断し、追加Ｙコン１５〜１８のスイッチ１９，２０をオンにすることでＹコンの容量減少分を補うものである。これによって、高温時のＹコンの容量減少を防止することが可能であり、低温時の漏れ電流を増加させることなく高温時にもノイズフィルタ回路の性能悪化を防止することができる。【選択図】図１
2006296067.tif 000002
【特許請求の範囲】
【請求項１】
交流電源と交流電源を整流するブリッジ整流回路間に接続されたノイズフィルタ回路と、前記ブリッジ整流回路の出力端間に接続され直流電圧に平滑する平滑コンデンサと、インバータ部と、圧縮機から構成され、前記ノイズフィルタ回路はコモンモードチョークコイルと前記コモンモードチョークコイルの入力端と出力端それぞれの間に接続された２個のライン間コンデンサ（以下Ｘコン）と、前記コモンモードチョークコイルの端子からそれぞれアースに対して接続された４個のライン−アース間コンデンサ（以下Ｙコン）と、前記コモンモードチョークコイルの端子からそれぞれ前記アースに対してスイッチを介して接続された４個の追加Ｙコンと、前記ノイズフィルタ回路の雰囲気温度を検知する温度センサと、前記温度センサの出力から前記スイッチの制御を行う制御部を備え、前記ノイズフィルタ回路の雰囲気温度を前記温度センサで検知し、雰囲気温度が高温になり前記Ｙコンの容量が減少した時に前記制御部からの指令で前記スイッチをオンにすることにより、前記追加Ｙコンを接続することにより、容量の減少を防止することを特徴とした空気調和機。
【発明の詳細な説明】
【技術分野】
【０００１】
本発明は、空気調和機の室外機におけるノイズフィルタ回路のＹコンの温度特性による性能悪化を防止する方法に関するものである。
【背景技術】
【０００２】
図３は、従来の空気調和機の室外機の電気回路を示すものである。図３に示すように、交流電源１と、交流電源を整流するブリッジ整流回路３と、交流電源とブリッジ整流回路に挟まれたノイズフィルタ回路２と、ブリッジ整流回路３の出力端に接続され直流電圧に平滑する平滑コンデンサ４と、平滑コンデンサで平滑された直流電圧を圧縮機駆動電源に変換するインバータ部５と、インバータ部の出力によって駆動される圧縮機６から構成されている。
【０００３】
ノイズフィルタ回路は発生ノイズ低減の為に設けられており、交流電源に対してコモンモードに接続されたコモンモードチョークコイル７と、コモンモードチョークコイルへの入出力端にそれぞれ接続されたＸコンと、コモンモードチョークコイル７の各端子からそれぞれアース１４に対して接続されたＹコン１０、１１、１２、１３から構成されている。
【０００４】
そのうち、特にＹコンの容量はノイズフィルタ回路の性能に大きく影響している。
【特許文献１】特開平１１−２３５０１６号公報
【発明の開示】
【発明が解決しようとする課題】
【０００５】
しかしながら、前記従来の構成では、Ｙコンの温度特性により高温時に容量が減少してノイズフィルタ回路の性能が悪化するといった課題があった。
【０００６】
空気調和機の室外機の電気回路は、風雨が浸入して絶縁劣化しないように密閉構造物に収納されており、部品の温度が上昇しやすく、室外の気温が高いときにはさらに温度上昇は顕著になっている。
【０００７】
また、温度上昇によるＹコンの容量減少を考慮した上で、予めＹコンの容量を大きくすればノイズフィルタ回路の性能悪化を防ぐことが可能であるが、温度が低い場合にはＹコンの容量が大きくなり漏れ電流が大きくなってしまう課題を有していた。
【０００８】
本発明は、前記従来の課題を解決するもので、ノイズフィルタ部の温度を測定し、高温時にはＹコンの容量減少分を補う追加Ｙコンを備えることにより漏れ電流を増加させることなく高温時のノイズフィルタ回路の性能悪化を防止できる空気調和機を提供することを目的とする。
【課題を解決するための手段】
【０００９】
前記従来の課題を解決するために、本発明の空気調和機は、ノイズフィルタ回路の雰囲気温度を測定する温度センサを設け、予め設定された温度を上回った場合には制御部にてＹコンの容量減少を判断し、追加ＹコンのスイッチをオンにすることでＹコンの容量減少分を補うものである。
【００１０】
これによって、高温時のＹコンの容量減少を防止することが可能であり、低温時の漏れ電流を増加させることなく高温時にもノイズフィルタ回路の性能悪化を防止することがで
きる。
【発明の効果】
【００１１】
本発明の空気調和機は、高温時のＹコンの容量減少に対して追加Ｙコンを接続することで防止することが可能であり、低温時の漏れ電流を増加させることなく高温時のノイズフィルタ回路の性能悪化を防止することができる。
【発明を実施するための最良の形態】
【００１２】
本発明は、Ｙコンと並列にスイッチを介して追加Ｙコンを接続し、ノイズフィルタ回路の雰囲気温度を検知する温度センサと検知された温度からスイッチのオンオフを制御する制御部を設けることにより、温度センサが予め設定されている温度を超えた場合、制御部がスイッチをオンして、Ｙコンの温度上昇による容量減少分を追加Ｙコンを並列接続することにより補うことにより、ノイズフィルタ回路の性能悪化を防止できる。
【００１３】
以下に、本発明の実施の形態について図面を参照しながら説明する。なお、この実施の形態によって本発明が限定されるものではない。
【００１４】
（実施の形態１）
図１は、本発明の実施の形態１における空気調和機の室外機の電気回路図を示すものである。図１において、追加Ｙコン１５、１６、１７、１８はスイッチ１９、２０を介してアース１４に接続され、温度センサ２１でノイズフィルタ回路の雰囲気温度を検知して、温度センサ２１の出力に基づき制御部２２でスイッチ１９、２０のオンオフを行なっている。従来技術と同じ構成要素については同じ番号を付与し、詳細な説明を割愛する。以上のように構成された空気調和機の室外機の電気回路について、以下その動作、作用を図１の電気回路図と図２のグラフを用いて説明する。
【００１５】
まず、そして、温度センサ２１で検出したノイズフィルタ回路２の雰囲気温度が所定の温度Ｔｏｎを以下の場合は、制御部２２がスイッチ１９、２０をオフしてＹコン１０、１１、１２、１３のみがアース１４に対して接続されている。
【００１６】
そして、温度センサ２１で検出したノイズフィルタ回路２の雰囲気温度が所定の温度Ｔｏｎを超えた場合に、制御部２２がスイッチ１９、２０をオンして追加Ｙコン１５、１６、１７、１８を並列接続することでＹコン１０、１１、１２、１３の容量減少分を補うことが可能である。
【００１７】
以上のように、本実施の形態においては追加Ｙコン１５、１６、１７、１８をスイッチ１９、２０を介してアース１４に接続し、ノイズフィルタ回路２の雰囲気温度が高い場合、
温度センサ２１の出力から制御部２２がスイッチ１９、２０をオンすることによりＹコン１０、１１、１２、１３の容量減少分を補うことが可能であり、低温時の漏れ電流を増加させることなく、高温時のノイズフィルタ回路の性能悪化も防止することができる。
【産業上の利用可能性】
【００１８】
以上のように、本発明にかかる空気調和機は、ノイズフィルタ回路の温度変化による性能悪化を防止することが可能となるので、同一回路構成のノイズフィルタ回路を持つ電気機器にも適用できる。
【図面の簡単な説明】
【００１９】
【図１】本発明の実施の形態１における空気調和機の室外機の電気回路図
【図２】本発明の実施の形態１におけるＹコン容量の温度特性グラフ
【図３】従来の空気調和機の室外機の電気回路図
【符号の説明】
【００２０】
１  交流電源
２  ノイズフィルタ回路
３  ブリッジ整流回路
４  平滑コンデンサ
５  インバータ部
６  圧縮機
７  コモンモードチョークコイル
８、９  Ｘコン
１０、１１、１２、１３  Ｙコン
１４  アース
１５、１６、１７、１８  追加Ｙコン
１９、２０  スイッチ
２１  温度センサ
２２  制御部
【図１】
2006296067.tif 000003
【図２】
2006296067.tif 000004
【図３】
2006296067.tif 000005